(57)【要約】点火装置は、この点火装置の点火チェーン（１３ａ，１３ｂ）を中断若しくは解放するために、中央の領域（１６）とこの領域を包囲する縁部領域（１７）とを備えたディスク状の部材（１５）を有している。中央の領域だけが点火チェーンを中断し、保持装置（１９）によって支えられている。発射体の飛行方向で見て縁部領域（１７）の下側に、保持装置を包囲するように配置された収容室が設けられている。中央の領域（１６）と縁部領域（１７）とは、目標破壊箇所（１８）によって互いに接続されている。発射体の初期加速度において、縁部領域（１７）は中央の領域（１６）から剪断されて、収容室（２１）内に受け止められ、次いで発射体の角運動によって中央の領域（１６）も点火チェーン（１３ａ，１３ｂ）から遠ざけられる。
2004521309.tif 000002
【特許請求の範囲】
【請求項１】
施条を備えた筒から発射しようとする発射体（３）のための点火装置であって、活物質をトリガーする点火チェーンを有しており、安全装置（１５，１９，２１）が設けられていて、該安全装置が、第１の位置で前記点火チェーンを中断し、発射体（３）を発射する際に、発射体の初期加速度及び角運動によって、点火チェーンを解放する第２の位置に移行するようになっており、前記安全装置（１５，１９，２１）が、中央の領域（１６）を備えたディスク状の部材（１５）と、この中央の領域（１６）を包囲する縁部領域（１７）とを有している形式のものにおいて、
ディスク状の部材（１５）の中央の領域（１６）だけが点火チェーンを中断し、該中央の領域（１６）が保持装置（１９）によって支えられていて、一方、縁部領域（１７）は保持装置（１９）によって支えられられずに、その位置に保たれており、中央の領域（１６）と縁部領域（１７）とが、発射体（３）の初期加速時に破壊される目標破壊箇所（１８）を介して互いに接続されており、前記保持装置（１９）の周囲に収容室（２１）が設けられていて、該収容室（２１）が、発射体（３）の初期加速時に中央の領域（１６）から分離された縁部領域（１７）と、次いで発射体（３）の角運動によって点火チェーンから遠ざけられた中央の領域（１６）とを収容するようになっていることを特徴とする、角運動を与えて筒から発射しようとする発射体のための安全装置を備えた点火装置。
【請求項２】
保持装置（１９）が、点火チェーンを包囲する、中央の領域（１６）のための当接部として構成されており、縁部領域（１７）が段部を有していて、該段部が、前記当接部に当接し、それによってディスク状の部材（１５）が、点火チェーンを中断する第１の位置で確保されている、請求項１記載の点火装置。
【請求項３】
縁部領域（１７）が中央の領域（１６）よりも大きい厚さを有している、請求項１又は２記載の点火装置。
【請求項４】
収容室（２１）が、発射体（３）の飛行方向で見て縁部領域（１７）の後ろに位置していて、少なくとも縁部領域（１７）の２倍の厚さに相当する深さを有している、請求項１から３までのいずれか１項記載の点火装置。
【請求項５】
ディスク状の部材（１５）が第１の位置で、収容室（２１）の側壁に遊びを有して当接している、請求項１から４までのいずれか１項記載の点火装置。
【請求項６】
円板状の部材（１５）が収容室（２１）の底部に載る第２の位置において、円板状の部材（１５）のための保持装置有利には緊締装置が設けられている、請求項１から５までのいずれか１項記載の点火装置。
【請求項７】
中央の領域（１６）の重心点（Ｓ）が、発射体（３）の角運動軸線（Ａ）に対して偏心的に配置されている、請求項１から６までのいずれか１項記載の点火装置。
【請求項８】
円板状の部材（１５）が円形又は方形である、請求項１から７までのいずれか１項記載の点火装置。
【請求項９】
円板状の部材（１５）がプラスチックより成っている、請求項１から８までのいずれか１項記載の点火装置。
【請求項１０】
目標破壊箇所（１８）が、円板状の部材（１５）の材料の厚さを減少させることによって形成されている、請求項１から９までのいずれか１項記載の点火装置。
【請求項１１】
円板状の部材（１５）の中央の領域（１６）と縁部領域（１７）とが、目標破壊箇所（１８）としてのウエブ（２４）を介して互いに接続されている、請求項１から１０までのいずれか１項記載の点火装置。
【請求項１２】
中央の領域（１６）と縁部領域（１７）とが、目標破壊箇所（１８）を形成する接続部材によって互いに接続された部材である、請求項１から９までのいずれか１項記載の点火装置。
【請求項１３】
接続部材が自己接着式のシート（２５）である、請求項１２記載の点火装置。
【発明の詳細な説明】
【技術分野】
【０００１】
本発明は、請求項１の上位概念部に記載した、ライフリング若しくは施条（Ｄｒａｌｌ）を備えた筒（Ｒｏｈｒ）から発射しようとする弾丸若しくは発射体（Ｇｅｓｃｈｏｓｓ）のための安全装置を備えた点火装置に関する。
【０００２】
このような形式の発射体は、活物質（Ｗｉｒｋｅｆｆｅｋｔ）をトリガー（作動開始）させるための火薬技術的な複数の装薬より成る点火チェーンを有している。この発射体は、安全装置を有しており、この安全装置は、第１の位置で点火チェーンを中断し、発射体を発射させる際にその初期加速度及び角運動量によって、前記第１の位置から点火チェーンを解放（作動開始）する第２の位置に移行する。それによって、発射体が静止している場合でも、例えば運動中であっても、点火チェーンが点火されることは阻止される。
【０００３】
ドイツ連邦共和国特許第１２０３７１８２号明細書によれば、発射体のための点火装置が公知であって、この点火装置は、ディスク状の部材を備えた安全装置、例えば塑性変形可能なプレートを有している。このプレートは、点火薬を含有する部材と、点火しようとする装薬に通じる開口を含有する、発射体の部分との間に配置されている。このような配置によって、点火玉が不都合に点火された時に点火玉を収容する部材の安全装置内で発射体の爆破装薬が点火されることは阻止される。点火玉が不都合に点火された時に、熱い爆発ガスが高圧下で塑性変形可能なプレートにぶつかり、それによってこのプレートが変形して、点火玉のための支持体とこの支持体を受容する部分との間の分離継ぎ目内に強く押しつけられ、それによって爆発装薬に通じる開口に達することになる。
【０００４】
このような発射体は、例えば犯罪を急襲する場合において、又は暴力的なデモと戦う場合に、いわゆる効果弾として装填される。このような効果弾は、実弾から派生した、例えば４０ｍｍの口径を有するカートリッジ弾薬である。活物質としては、例えばＣＳ、催涙ガス、煙幕、火花発生装薬、閃光装薬その他が使用される。このような効果弾は、着発信管を有しており、この着発信管は、着発時に活物質を点火する。このような点火装置が１回で点火しない場合には、それでも活物質が少なくとも所定の時間後にトリガーされるか又は自己解体し、それによって効果弾が危険なしに取り除かれるようになっていなければならない。このために、点火チェーンを備えた付加的な安全点火装置が設けられており、この点火チェーンは少なくとも、実効発射体を発射する際に点火される点火装置と、少なくとも１つの別の装薬特に遅延薬とから成っており、この遅延薬が燃焼し尽くした後で本来の効果弾が例えば導火線又はブースター装薬を介して、発射後に約４秒で点火される。
【０００５】
このような形式の効果弾は、大抵の場合、銃身の短い武器若しくは短いドラム形弾倉から発射される。弾倉型の武器においては、弾倉が一般的にディスクによって覆われており、このディスクは、実際に撃とうとする薬包だけを解放し、これに対して別のすべての弾倉列はディスクによって覆われている。
【０００６】
効果弾を発射しようとする際に発射薬が点火されない場合、安全点火装置のための遅延薬が、例えば弱すぎる発射薬又は雷管によって点火されることがある。この場合、効果弾は、通常の筒形若しくはバレル形武器であっても弾倉（マガジン）形武器であっても、発射武器の銃身から出ないので、活物質は、所定の遅延時間約４秒後にトリガーされる。これは、周囲にいる人間のためにもまた射撃手自身のためにも、特に弾倉形武器を使用した場合に、非常に高い負傷の危険性を伴うものである。つまり発射がトリガーされると直ちに、発射体がマガジンから出なくても、ドラム形弾倉は１つ分だけさらに回転し、燃焼し尽くした遅延点火チェーンを有する薬包弾薬が収容されている弾倉は前方が閉鎖されている。ついで所定の遅延時間後に、活物質がトリガーされ、従って例えば催涙ガスが解放されるので、催涙ガスは事実上、射撃手に向かって後ろに発生し、従って射撃手に高い負傷の危険性が生じる。
【０００７】
従って、活物質をトリガーするための点火チェーン内に公知の形式で安全装置を介在させて、この安全装置が第１の位置で点火チェーンを中断し、発射体が発射される際に、その初期加速度及びその角運動量によって、この第１の位置から点火チェーンを解放（作動開始）する第２の位置へ移行するようにすることが望まれている。このような形式の安全装置は、発射体点火装置のために多くの変化実施例のものが公知である。
【０００８】
本発明の課題は、上記形式の発射体のための安全装置を改良して、構造が簡単で、安価に形成することができ、しかも発射体が発射に伴う初期加速度及び角運動量を得た時にのみ、活物質が実際に点火されるようなものを提供することである。
【０００９】
この課題は、本発明によれば請求項１の特徴部に記載した特徴によって解決された。
【００１０】
本発明によれば、安全装置が、中央の領域と、この中央の領域を包囲する縁部領域とを備えたディスク状の部材を有している。この場合、中央の領域だけが点火チェーンを中断し、保持装置によって機械的に支持されていて、その位置が保たれている。中央の領域と縁部領域とは、発射体の初期加速度において破壊される目標破壊箇所を介して互いに接続されている。さらに、保持装置を巡って収容室が設けられており、この収容室は、発射体の初期加速度において中央の領域から目標破壊箇所で分離された縁部領域と、次いで発射体の角運動によって点火チェーンから遠ざけられた中央の領域とを収容する。
【００１１】
点火装置のためのこのような形式の安全装置は、非常に簡単かつ安価に製造することができる。何故ならば安全装置は、例えば相応に準備された簡単なプラスチックディスクだからである。
【００１２】
発射体を発射する際に、初期加速度は中央の領域にも縁部領域にも作用する。勿論、中央の領域だけが支えられているので、この初期加速度によって縁部領域は、目標破壊箇所において中央の領域から剪断され、発射体の飛行方向で見て縁部領域の後ろに位置する収容室内に収容される。この収容室は、縁部領域の少なくとも２倍の厚さに相当する厚さを有しているので、縁部領域が中央領域から分離されて収容室内にあると、縁部領域は中央の領域の平面から遠ざけられることになる。中央の領域には角運動が作用するので、中央の領域は遅かれ早かれ点火チェーンから遠ざかり、点火チェーンはそれによって解放される。
【００１３】
角運動と角運動加速度とは、原則として、中央の領域だけが目標破壊箇所の残りとして残り、この中央の領域の重心点が発射体の角運動軸線に対して偏心的な位置にあるので、遠心力によって中央の領域が点火チェーンから遠ざかるようになっている。勿論、中央の領域の重心点を発射体の角運動軸線に対して意図的に偏心的に配置することも可能である。
【００１４】
目標破壊箇所は、例えばディスク状の部材の材料の厚さを、中央の領域と縁部領域との間の境界領域で減少させることによって形成される。さらに、中央の領域と縁部領域とはウエブを介して互いに接続することができる。中央の領域と縁部領域とをそれぞれ個別の部品として構成し、これらの部品を接続部材例えば自己接着式のシートによって互いに接続し、このシートが目標破壊箇所を形成するようにしてもよい。
【００１５】
以下に図面に示した実施例を用いて本発明を説明する。
【００１６】
図１は、薬莢と、活物質のための点火チェーンを中断するためのディスク状の安全装置を備えた発射体とから成る効果弾の部分的な断面図、
図２は、図１に対してやや変化したディスク状の安全装置を備えた発射体の後部の断面図、
図３は、図２に示したディスク状の安全装置の下側を示す図、
図４は、本発明によるディスク状の安全装置の別の実施態様を示す図、
図５は、本発明によるディスク状の安全装置の別の実施例を示す図である。
【００１７】
図１には、薬莢２と、この薬莢２内に装填された発射体３とを備えた効果弾の部分的な断面図が示されている。薬莢２の底部には雷管４が配置されており、この雷管４によって、薬筒５内に収容された発射薬６が点火される。薬筒５は、薬莢２と発射体３との間の圧力室８内に開口するオーバーフロー開口を有している。
【００１８】
発射体３は、その頭部に薬室１０を有しており、この薬室１０内で実効薬例えばＣＳ催涙ガス又はこれと類似のものが火薬技術的にトリガーされる。これは一般的な形式で、発射体がされる際に火薬技術的な信管１２を点火する着発信管１１（図面ではスイッチとしてしか示されていない）によって行われる。この着発信管１１自体は、薬室１０内に収容された作用薬をトリガーする。
【００１９】
発射薬６が点火されると、この発射薬の発射ガスによって遅延薬１３も点火される。この遅延薬は２つの部分１３ａ，１３ｂに分けられている。遅延薬の部分１３ａ，１３ｂは、過点火ギャップ（Ｕｅｂｅｒｚｕｅｎｄｓｐａｌｔ）１４によって互いに分離されている。
【００２０】
この過点火ギャップ１４内には、２つの遅延薬１３ａ，１３ｂ間の点火チェーンを中断若しくは解放するために安全装置としてディスク１５が介在されている。このディスク１５は、中央の金属薄板１６と、この金属薄板１６を包囲する縁部領域１７とから成っており、この中央の金属薄板１６と縁部領域１７とは互いに、目標破壊箇所１８によって分離されている。
【００２１】
中央の領域１６は、遅延薬１３ａを包囲する保持装置例えばソケット１９によって支持されている。縁部領域１７は、中央の領域１６よりも大きい厚さを有しており、この場合、中央の領域１６と縁部領域１７との間の段は、ほぼ目標破壊箇所１８によって与えられる。ディスク１５は、この段でソケット１９に当接しており、それによってディスク１５はその半径方向位置で保持される。
【００２２】
ディスク１５はさらに、その発射体３の飛行方向で見て上側で、収容室２１の天井に当接し、この収容室内でディスク１５は横方向でわずかな遊びを保って保持されている。収容室２１は、発射体３の飛行方向で見て少なくとも、縁部領域１７の２倍の厚さに相当する。
【００２３】
発射体３が発射され、発射薬６が規定通りに点火されると、圧力室８内に圧力が形成され、この場合、圧力は、薬莢２と発射体３との間の接続が分離されて、発射体３が薬莢２から押し出されるまで、上昇する。この場合、発射体３は加速され、さらに、発射体に、施条対応帯体２２及び砲身の施条若しくはライフリング（Ｄｒａｌｌｚｕｅｇｅ）を介して角運動量（Ｄｒａｌｌ；ねじれ、回転）が与えられる。
【００２４】
発射体３の初期加速によって、ディスク１５の目標破壊箇所１８は破壊され、それによって縁部領域１７は収容室２１の底部に向かって移動し、有利な形式でこの底部の位置で緊締される。このために、例えば収容室２１の側壁がやや円錐形に内方に向かって延びているか又は湾曲している。次いで角運動加速によって、中央の領域１６も点火チェーンを遮断する位置から外方に投げ出され、同様に縁部領域１７の上側の収容室２１内に収容される。それによって遅延薬１３の領域内の点火チェーンが解放つまり作動開始される。次いで遅延薬１３ａが遅延薬１３ｂを点火し、遅延薬１３ｂが薬室１０内の作用薬を点火する。遅延薬１３ａと１３ｂとの間の過点火のために、遅延薬１３ａは公知の形式で円錐形の切欠を有しており、この円錐形の切欠によって遅延薬１３ａ内の爆発波が収束されて、遅延薬１３ｂに集中して向けられて、遅延薬１３を点火する。
【００２５】
発射薬６の点火を不完全にし、それでも遅延薬１３が点火されるようにしたい場合、つまり発射体が武器の銃身から出ないようにしたい場合には、初期加速又は角運動加速も発生しないので、ディスク１５はその位置で留まり、遅延薬１３ａの燃焼終了時における遅延薬１３ｂの点火を阻止する。それによって薬室１０内の作用薬も点火され、発射体３は危険なしに武器の銃身から取り出される。
【００２６】
発射体３が整然と発射された後で、つまり縁部領域１７次いでディスク１５の中央の領域１６が、初期加速若しくは角運動量によって収容室２１内に収容されると、遅延薬１３ａが点火チェーン１３の第２の遅延薬１３ｂを点火する。発射体を着発させる際に着発信管が１１を作動させず、それによって薬室１０内の作用薬が点火されないようにしたい場合には、この作用薬は遅延薬１３ｂが燃焼し終わってから点火されるようになっている。
【００２７】
図２には、やや変化させたディスク１５を備えた、図１に示した点火装置が示されている。円形のディスク１５は、中央の領域１６と、この領域１６を包囲する縁部領域１７とから成っており、この縁部領域１７は、切り込みの形状の目標破壊箇所１８によって中央の領域１６に対して分離されている。図３に示されているように中央の領域１６の重心点Ｓは、発射体の長手方向及び角運動軸線の外に位置している。
【００２８】
初期加速によって縁部領域１７が中央の領域１６から剪断されると、重心点Ｓが偏心的に配置されていることによって、中央の領域１６も点火チェーンから非常に迅速に遠ざけられるので、点火チェーンは遅延薬１３ａ，１３ｂを介して点火される。
【００２９】
図４には、中央の領域１６と縁部領域１７とを備えたディスク１５が示されており、このディスク１５は、複数のウエブ２４を介して互いに接続されていて、これらのウエブ２４が目標破壊箇所１８を形成している。
【００３０】
図５には、やはり中央の領域１６と縁部領域１７とから構成されているディスク１５が図示されている。中央の領域１６と縁部領域１７とは部品であって、最も簡単な場合には、小さい円形のディスク若しくはリングディスクである。縁部領域１７としてのリングディスクは、中央の領域１６よりも大きい厚さを有している。２つの部品は１６及び１７は、自己接着式のプラスチックシート２５によって互いに結合されており、このプラスチックシート２５が目標破壊箇所１８の機能を有している。図５に示した状態において、プラスチックシート２５は、中央の領域１６の下側及び縁部領域１７の段部２６に接続されているので、発射体３の初期加速において縁部領域１７が中央の領域１６から分離されると、プラスチックシート２５も中央の領域１６から剥がされる。中央の領域１６は、有利には、発射体３の角運動軸線Ａに対して偏心的な重心点Ｓを有しているので、縁部領域１７が剪断されると、中奥羽の領域１６は迅速に収容室２１内に押しやられる。
【００３１】
勿論、プラスチックシート２５をディスク１５の上側に固定することも可能である。その場合には、プラスチックシート２５は、遅延薬１３ａと１３ｂとの間を点火することができる。
【００３２】
すべての実施例において、ディスク１５は、わずかな固有質量を有する材料より成っており、それによって収容室２１内に収容された小さいディスクは、中央の領域１６に相応して、発射体３の飛行軌道を妨げない程度に小さいアンバランスだけを発射体３に作用させるようになっている。
【００３３】
勿論、特にディスク１５の形状に関して、本発明とは別の実施態様、例えば細長い、方形又は正方形のディスクも可能である。同様に、ソケットはコンパクトなソケット１９である必要はなく、例えば複数の支持点又は支持区分によって実現することができる。
【００３４】
重要なことは、ディスク１５の目標破壊箇所１８が、発射体３の初期加速中でも発射経路内で破壊されるので、点火チェーンを中断する中央の領域１６が同様に迅速に点火チェーンから搬出されるということである。
【図面の簡単な説明】
【００３５】
【図１】薬莢と、活物質のための点火チェーンを中断するためのディスク状の安全装置を備えた発射体とから成る効果弾の部分的な断面図である。
【図２】図１に対してやや変化したディスク状の安全装置を備えた発射体の後部の断面図である。
【図３】図２に示したディスク状の安全装置の下側を示す図である。
【図４】本発明によるディスク状の安全装置の別の実施態様を示す図である。
【図５】本発明によるディスク状の安全装置の別の実施例を示す図である。
【国際公開パンフレット】
2004521309.tif 000003
2004521309.tif 000004
2004521309.tif 000005
2004521309.tif 000006
2004521309.tif 000007
2004521309.tif 000008
2004521309.tif 000009
2004521309.tif 000010
2004521309.tif 000011
2004521309.tif 000012
2004521309.tif 000013
2004521309.tif 000014
2004521309.tif 000015
2004521309.tif 000016
2004521309.tif 000017
2004521309.tif 000018
2004521309.tif 000019
【国際調査報告】
2004521309.tif 000020
2004521309.tif 000021
2004521309.tif 000022
2004521309.tif 000023
2004521309.tif 000024
2004521309.tif 000025